(57)【要約】      （修正有）【課題】  簡便に作製可能な緩衝材が用いられ、荷扱い時などにおける衝撃緩和性能に優れ、梱包時の作業性が良好な軒樋の梱包構造を提供する。【解決手段】  断面形状が略コの字状の軒樋１が複数個積み重ねられた状態で梱包される軒樋の梱包構造において、断面矩形の筒状体２が端部でコの字状に連結された緩衝材３（好ましくは、板状体が折り曲げられて形成される）が、積み重ねられた軒樋１の下部２段及び／又は上部２段の軒樋１ａ，１ｂにおいて、その両端部の軒樋底面部４に緩衝材３の筒状体２がそれぞれ配設されるように挿入される。【選択図】  図１
2005153891.tif 000002
【特許請求の範囲】
【請求項１】
断面形状が略コの字状の軒樋が複数個積み重ねられた状態で梱包される軒樋の梱包構造において、断面矩形の筒状体が端部でコの字状に連結された緩衝材が、積み重ねられた軒樋の下部２段及び／又は上部２段の軒樋において、その両端部の軒樋底面部に前記緩衝材の筒状体がそれぞれ配設されるように挿入されたことを特徴とする軒樋の梱包構造。
【請求項２】
緩衝材が、板状体が折り曲げられて形成されたものであることを特徴とする請求項１記載の軒樋の梱包構造。
【請求項３】
一方の積み重ねられた軒樋の開口部が上方に向けられ、その開口部に他方の積み重ねられた軒樋の開口部が対向した状態で梱包されたことをを特徴とする請求項１又は２記載の軒樋の梱包構造。
【発明の詳細な説明】
【技術分野】
【０００１】
本発明は軒樋の梱包構造に関する。
【背景技術】
【０００２】
従来、断面形状が略コの字状の軒樋は、通常複数個積み重ねられた状態で梱包されるが、例えばトラックからの積み卸し時や、施工現場での運搬時などの荷扱い時に、梱包体を落下させたり、枕木の上に放り投げたりすると、その衝撃により、軒樋に割れやクラックが発生することがある。特に、複数個積み重ねられて梱包された軒樋の最下部又は最上部の両端部においては、上記の割れやクラックの発生が顕著であった。
【０００３】
上記問題を解決するため、例えば特許文献１には、軒樋の端部にパット材を当接してなる軒樋の梱包構造において、上記パット材が筒状をなし、同パット材の長手方向に複数の切溝を並設し、この複数の切溝に上記軒樋の各底面部をそれぞれ挿着してなる軒樋の梱包構造が開示されている。
【０００４】
【特許文献１】特開平８−９１４５８号公報
【発明の開示】
【発明が解決しようとする課題】
【０００５】
しかし、本発明者の検討によれば、上記特許文献１の構造は、軒樋の底面部が挿着される切溝の挿入長さが十分に取りにくいことと、切溝が軒樋の底面部に接する部分の面積が小さすぎることなどから、必ずしも十分な衝撃緩和性能を発揮することが出来ないものであった。また、上記パット材の作製においては、切溝を作製するために、重ね合わせた軒樋の数に対応させて複数の切削加工などが必要であり、必ずしも簡便に作製可能なものではなかった。
【０００６】
本発明の目的は、上記従来の問題点に鑑み、簡便に作製可能な緩衝材が用いられ、荷扱い時などにおける衝撃緩和性能に優れ、梱包時の作業性が良好な軒樋の梱包構造を提供することにある。
【課題を解決するための手段】
【０００７】
請求項１記載の軒樋の梱包構造は、断面形状が略コの字状の軒樋が複数個積み重ねられた状態で梱包される軒樋の梱包構造において、断面矩形の筒状体が端部でコの字状に連結された緩衝材が、積み重ねられた軒樋の下部２段及び／又は上部２段の軒樋において、その両端部の軒樋底面部に前記緩衝材の筒状体がそれぞれ配設されるように挿入されたことを特徴とする。
【０００８】
請求項２記載の軒樋の梱包構造は、請求項１記載の軒樋の梱包構造であって、緩衝材が、板状体が折り曲げられて形成されたものであることを特徴とする。
【０００９】
請求項３記載の軒樋の梱包構造は、請求項１又は２記載の軒樋の梱包構造であって、一方の積み重ねられた軒樋の開口部が上方に向けられ、その開口部に他方の積み重ねられた軒樋の開口部が対向した状態で梱包されたことをを特徴とする。
【発明の効果】
【００１０】
本発明によれば、断面矩形の筒状体が端部でコの字状に連結された緩衝材が用いられるので、緩衝材が、例えば板状体を折り曲げるなどの方法で簡便に作製可能であるとともに、上記緩衝材の筒状体が、積み重ねられた軒樋の下部２段又は上部２段の両端部における軒樋底面部にそれぞれ挿入されるので、特に割れやクラックの発生が顕著な最下部及び／又は最上部の両端部において、荷扱い時などにおける衝撃緩和性能に優れ、梱包時の作業性が良好な軒樋の梱包構造を提供することができる。
【００１１】
緩衝材が、例えば段ボールなどの板状体が折り曲げられて形成されたものであると、緩衝材を簡便に作製することができ、上記効果は更に確実になる。
【００１２】
一方の積み重ねられた軒樋の開口部が上方に向けられ、その開口部に他方の積み重ねられた軒樋の開口部が対向した状態で梱包された場合には、梱包体の重量が重くなり、荷扱い時の衝撃による割れやクラックが発生し易くなる傾向があるため、本発明による効果は更に顕著に発揮される。
【発明を実施するための最良の形態】
【００１３】
以下、本発明を実施するための最良の形態について、図面を参照しつつ説明する。
本発明の軒樋の梱包構造は、図１に示すように、断面形状が略コの字状の軒樋１，１・・が複数個積み重ねられた状態で梱包される軒樋の梱包構造において、図２〜図４に示すような、例えば４個の断面矩形の筒状体２，２・・が端部でコの字状に連結された緩衝材３が、図１に示すように、積み重ねられた軒樋１，１・・の下部２段の軒樋１ａ，１ａ及び上部２段の軒樋１ｂ，１ｂにおいて、その両端部の軒樋底面部４，４に前記緩衝材３の筒状体２，２がそれぞれ２個づつ配設されるように挿入されたものである。
【００１４】
上記緩衝材３は、例えば図５に示すように、段ボールなどの板状体４を点線で示す折り曲げ線に沿って面４１〜４４を折り曲げ、次いで面４５，４５を面４６で連結され対向するように折り曲げることで、図２〜図４に示すような面４１〜４４からなる４個の断面矩形の筒状体２，２・・が形成され、面４６により端部で筒状体２，２が連結された緩衝材３を作製することができる。
【００１５】
上記緩衝材３が、図１に示すように複数個積み重ねられた軒樋の下部または上部に位置する２段の軒樋１ａ，１ａ、及び１ｂ，１ｂの両端部に配設されることで、荷扱い時に特に端部に発生する衝撃を緩和することが可能なものとなる。
【００１６】
上記緩衝材３の材質としては、特に限定されないが衝撃緩和効果の高い材料がよく、例えば、紙製の段ボールや樹脂製の段ボール、若しくは衝撃吸収機能を有する発泡体、ゴムやエラストマー、織布や不織布などが好適である。
【００１７】
上記軒樋の積み重ね状態は、複数個積み重ねられた状態であれば特に限定されず、軒樋１の開口部が上方又は下方に向けられ一方向に積み重ねられたもの、若しくは、図１に示すように、一方の積み重ねられた軒樋１の開口部が上方に向けられ、その開口部に他方の積み重ねられた軒樋１の開口部が対向した状態であってもよい。
【００１８】
前者の場合には緩衝材は上部２段又は下部２段の軒樋の両端部に挿入され、後者の場合には、緩衝材は上部２段及び下部２段の軒樋の両端部に挿入される。後者の場合は通常梱包体の重量が重くなり、荷扱い時の衝撃による割れやクラックが発生し易くなる傾向があるため、本発明による効果は更に顕著に発揮される。
【図面の簡単な説明】
【００１９】
【図１】本発明に係る軒樋の梱包構造の一例を示す模式断面図である。
【図２】本発明における緩衝材の一例を示す模式斜視図である。
【図３】図２の緩衝材の側面図である。
【図４】図３の緩衝材のＡＡ断面図である。
【図５】緩衝材を形成する板状体の一例を示す模式展開図である。
【符号の説明】
【００２０】
１  軒樋
２  筒状体
３  緩衝材
４  板状体
４１〜４６  面
５  段ボール箱
【図１】
2005153891.tif 000003
【図２】
2005153891.tif 000004
【図３】
2005153891.tif 000005
【図４】
2005153891.tif 000006
【図５】
2005153891.tif 000007